(57)【特許請求の範囲】
【請求項１】
貯蔵物を収納する貯蔵室と、前記貯蔵室に流入する冷気を生成する冷却器と、該冷気を前記貯蔵室に導く冷気通路とを設け、該冷機通路は、前記貯蔵室の背壁側中央付近に設けた通路を有し、前記通路の貯蔵室側に吸込口をもち、前記通路には送風機を設け、前記送風機の前方の前記吸込口付近にはフィルターを設け、
前記送風機の吸込側には、前記冷却器で生成された貯蔵室に流入する冷気の一部が流れ込み、前記フィルターの前記送風機側付近の少なくとも一部には、前記冷気流と前記フィルターとを隔離するための断熱部材または隔離壁の少なくともどちらか一方を設けた
ことを特徴とする冷蔵庫。
【請求項２】
貯蔵物を収納する貯蔵室と、前記貯蔵室に流入する冷気を生成する冷却器と、該冷気を前記貯蔵室に導く冷気通路とを設け、該冷機通路は、前記貯蔵室の背壁側中央付近に設けた通路を有し、前記通路の下方の貯蔵室側に吸込口をもち、前記通路には送風機を設け、前記送風機の前方の前記吸込口付近にはフィルターを設け、
前記送風機の吸込側には、前記冷却器で生成された貯蔵室に流入する冷気の一部が流れ込み、前記フィルターの前記送風機側付近の少なくとも一部には、前記冷気流と前記フィルターとを隔離するための断熱部材または隔離壁の少なくともどちらか一方を設けた
ことを特徴とする冷蔵庫。
【請求項３】
貯蔵物を収納する貯蔵室と、前記貯蔵室に流入する冷気を生成する冷却器と、該冷気を前記貯蔵室に導くとともに前記貯蔵室と隔壁を介して設けられる冷気通路と、前記隔壁の少なくとも一部を形成して前記冷気通路内を流通する冷気による冷熱を貯蔵室内に放出する部材とを設け、
前記冷機通路は、前記貯蔵室の背壁側中央付近に設けた通路を有し、前記通路の下方の貯蔵室側に吸込口をもち、前記通路には送風機を下方に設け、前記送風機の前方の前記吸込口側にはフィルターを設け、
前記送風機の吸込側には、前記冷却器で生成された貯蔵室に流入する冷気の一部が流れ込み、前記フィルターの前記送風機側付近の少なくとも一部には、前記冷気流と前記フィルターとを隔離するための断熱部材または隔離壁の少なくともどちらか一方を設けた
ことを特徴とする冷蔵庫。
【請求項４】
前記フィルターの表面側の中央が貯蔵室側に突き出していることを特徴とする請求項１若しくは請求項２または請求項３に記載の冷蔵庫。
【請求項５】
前記フィルターは、貯蔵室側と前記送風機側とを結ぶ経路をもち、前記経路の貯蔵室側と前記送風機側に開口部をもつトンネル状であることを特徴とする請求項１から請求項４のいずれかに記載の冷蔵庫。
【請求項６】
前記フィルターのトンネル状経路は傾斜していることを特徴とする請求項５に記載の冷蔵庫。
【請求項７】
前記フィルターのトンネル状経路の傾斜は後方に行くほど高くなっていることを特徴とする請求項６に記載の冷蔵庫。
【請求項８】
前記フィルターまたは前記フィルター近くの部材の少なくとも一方には、抗菌若しくは調湿または脱臭の少なくともどちらかひとつの機能をもったことを特徴とする請求項１から請求項７のいずれかに記載の冷蔵庫。
【請求項９】
前記フィルターまたは前記フィルター近くの部材の少なくとも一方には多孔質からなる物質を含んでいることを特徴とする請求項１から請求項８のいずれかに記載の冷蔵庫。
【請求項１０】
前記フィルターの周辺は防水手段または排水手段の少なくとも一方が施されていることを特徴とする請求項１から請求項９のいずれかに記載の冷蔵庫。
【請求項１１】
前記フィルターには開口部をもつカバーが設けられ、前記フィルターと前記カバーの間には隙間が設けられていることを特徴とする請求項１から請求項１０のいずれかに記載の冷蔵庫。
【請求項１２】
前記通路の先端は天井ダクトに導かれ、天井吐出口から貯蔵室に冷気を吐出できることを特徴とする請求項１から請求項１１のいずれかに記載の冷蔵庫。
【発明の詳細な説明】
【０００１】
【発明の属する技術分野】
本発明は冷気を貯蔵室内に送出する冷蔵庫に関する。
【０００２】
【従来の技術】
従来この種の冷蔵庫は、例えば特開平９−３０３９３５号公報に示されるように、冷蔵室内の奥中央部に上下方向に設けた空気循環ダクトと、前記空気循環ダクトの下方に設けられた圧縮機の停止時に運転される空気循環用送風機と、前記空気循環ダクト中に設けられた脱臭手段と、前記空気循環ダクトと所定の間隔をおいて奥両端部に上下方向に設けられ、圧縮機が運転され冷却器で冷却された送風機からの冷気を吐出する吐出口をもつ冷気吐出ダクトとを設けたものがある。
【０００３】
【発明が解決しようとする課題】
前記のような冷蔵庫では、圧縮機の運転時、前記空気循環ダクトのある冷蔵室の奥中央付近では、冷却器で冷却された冷気がまわりにくいため冷えにくく、前記冷気吐出ダクトの冷気の吐出口近くのみがよく冷える傾向にあり、庫内の均一な冷却能力に不足があるという課題があり、さらに、空気循環用送風機の運転時、中央にある前記空気循環ダクトの、空気吸入口で左右を挟まれる中央付近の領域は、庫内空気の循環流がまわりにくく、貯蔵物が冷却されにくいという課題があった。
【０００４】
しかも、前記空気循環ダクトの循環通路中には脱臭手段が設けられているが、前記脱臭手段までの前記空気循環ダクト内に、初めて入り込んだ冷蔵室内空気は、全く脱臭されていなく、そのため、前記の循環通路表面には臭いが付着する可能性が強く、また、外部から侵入したカビの胞子や菌類等も、前記同様に前記脱臭手段までの前記空気循環ダクト内表面には多く付着し、さらには、前記脱臭手段さえもカビや菌におかされる場合もあり、庫内の異臭が増加し不衛生な状態となる危険性があるという課題があった。
【０００５】
【課題を解決するための手段】
本発明の冷蔵庫は前記のような課題を解決したもので、本発明の冷蔵庫は、貯蔵物を収納する貯蔵室と、前記貯蔵室に流入する冷気を生成する冷却器と、該冷気を前記貯蔵室に導く冷気通路とを設け、該冷機通路は、前記貯蔵室の背壁側中央付近に設けた通路を有し、前記通路の貯蔵室側に吸込口をもち、前記通路には送風機を設け、前記送風機の前方の前記吸込口付近にはフィルターを設け、前記送風機の吸込側には、前記冷却器で生成された貯蔵室に流入する冷気の一部が流れ込み、前記フィルターの前記送風機側付近の少なくとも一部には、前記冷気流と前記フィルターとを隔離するための断熱部材または隔離壁の少なくともどちらか一方を設けたことを特徴とするものである。
【０００６】
また、本発明の冷蔵庫は、貯蔵物を収納する貯蔵室と、前記貯蔵室に流入する冷気を生成する冷却器と、該冷気を前記貯蔵室に導く冷気通路とを設け、該冷機通路は、前記貯蔵室の背壁側中央付近に設けた通路を有し、前記通路の下方の貯蔵室側に吸込口をもち、前記通路には送風機を設け、前記送風機の前方の前記吸込口付近にはフィルターを設け、前記送風機の吸込側には、前記冷却器で生成された貯蔵室に流入する冷気の一部が流れ込み、前記フィルターの前記送風機側付近の少なくとも一部には、前記冷気流と前記フィルターとを隔離するための断熱部材または隔離壁の少なくともどちらか一方を設けたことを特徴とするものである。
【０００７】
そして、本発明の冷蔵庫は、貯蔵物を収納する貯蔵室と、前記貯蔵室に流入する冷気を生成する冷却器と、該冷気を前記貯蔵室に導くとともに前記貯蔵室と隔壁を介して設けられる冷気通路と、前記隔壁の少なくとも一部を形成して前記冷気通路内を流通する冷気による冷熱を貯蔵室内に放出する部材とを設け、前記冷機通路は、前記貯蔵室の背壁側中央付近に設けた通路を有し、前記通路の下方の貯蔵室側に吸込口をもち、前記通路には送風機を下方に設け、前記送風機の前方の前記吸込口側にはフィルターを設け、前記送風機の吸込側には、前記冷却器で生成された貯蔵室に流入する冷気の一部が流れ込み、前記フィルターの前記送風機側付近の少なくとも一部には、前記冷気流と前記フィルターとを隔離するための断熱部材または隔離壁の少なくともどちらか一方を設けたことを特徴とするものである。
【０００８】
そしてまた、本発明の冷蔵庫は、前記フィルターの表面側の中央が貯蔵室側に突き出していることを特徴とするものである。
【０００９】
さらに、本発明の冷蔵庫は、前記フィルターは、貯蔵室側と前記送風機側とを結ぶ経路をもち、前記経路の貯蔵室側と前記送風機側に開口部をもつトンネル状であることを特徴とするものである。
【００１０】
さらにまた、本発明の冷蔵庫は、前記フィルターのトンネル状経路は傾斜していることを特徴とするものである。
【００１１】
また、本発明の冷蔵庫は、前記フィルターのトンネル状経路の傾斜は後方に行くほど高くなっていることを特徴とするものである。
【００１２】
そして、本発明の冷蔵庫は、前記フィルターまたは前記フィルター近くの部材の少なくとも一方には、抗菌若しくは調湿または脱臭の少なくともどちらかひとつの機能をもったことを特徴とするものである。
【００１３】
そしてまた、本発明の冷蔵庫は、前記フィルターまたは前記フィルター近くの部材の少なくとも一方には多孔質からなる物質を含んでいることを特徴とするものである。
【００１４】
さらに、本発明の冷蔵庫は、前記フィルターの周辺は防水手段または排水手段の少なくとも一方が施されていることを特徴とするものである。
【００１５】
さらにまた、本発明の冷蔵庫は、前記フィルターには開口部をもつカバーが設けられ、前記フィルターと前記カバーの間には隙間が設けられていることを特徴とするものである。
【００１６】
また、本発明の冷蔵庫は、前記通路の先端は天井ダクトに導かれ、天井吐出口から貯蔵室に冷気を吐出できることを特徴とするものである。
【００１７】
【発明の実施の形態】
以下、本発明の冷蔵庫の実施の形態を図面とともに説明する。
【００１８】
図１は本発明の第１実施形態の冷蔵庫を示す側面断面図、図２は図１の冷蔵庫の冷蔵室の正面図、図３は図１の冷蔵庫の要部詳細図、図４は図１の冷蔵庫の上面断面図、図５は部材を示す斜視図、図６は他の部材を示す斜視図、図７は図５の部材付近の要部断面図、図８は図５の部材付近の要部断面図、図９は本発明の第２実施形態の冷蔵庫の側面断面図、図１０は図９の冷蔵庫の冷蔵室の正面図、図１１は本発明のフィルターを貯蔵室側から見た図、図１２は図１１に示したフィルターを上方から見た図である。
【００１９】
図１において、冷蔵庫１は外部を覆う外箱２ａの内側に内箱２ｂが配され、外箱２ａと内箱２ｂとの隙間には発泡ポリウレタン等の断熱材２ｃが充填されている。そして、１ａは前記冷蔵庫１の運転を制御する制御装置１ｂを含む電装ボックスであり、前記制御装置１ｂは冷蔵庫１の後述する各々の電気部品と電気的に接続されている。また、冷蔵庫１の内部は上から冷蔵室１１、野菜室１２、冷凍室１３の順に区分けされている。
【００２０】
野菜室１２と冷凍室１３は断熱部材から成る仕切枠１７及び断熱部材から成る仕切板１９に仕切られており、冷凍室１３は更に断熱部材から成る仕切枠１８により上部と下部に仕切られている。冷蔵室１１と野菜室１２は断熱部材から成る仕切枠１６及び樹脂成形品から成る仕切板３１、３２によって仕切られている。仕切板３２には貫通口３２ａが設けられている。
【００２１】
冷蔵室１１の下部には仕切板４６で仕切られる隔離室である氷温室１４が設けられている。冷蔵室１１には複数の棚４５が設けられ、棚４５、仕切板４６で冷蔵室１１は複数個に区画されている。冷蔵室１１の前面は回動式の断熱扉３により開閉可能になっている。野菜室１２、冷凍室１３の上部及び冷凍室１３の下部は前面が各々スライド式の断熱扉４、５、６により開閉可能になっており、収納容器５４、５５、５６を引出せるようになっている。
【００２２】
冷凍室１３の後部には圧縮機２０が配されている。圧縮機２０には吐出パイプ２０ａを介して凝縮器（不図示）が連結されており、吸込パイプ２０ｂを介して冷却器２１、２５が直列に連結されている。凝縮器と冷却器２５は第１キャピラリーチューブ（不図示）を介して連結されている。冷却器２１、２５の間には第２キャピラリーチューブ（不図示）が配されている。
【００２３】
これにより冷凍サイクルが構成され、冷凍サイクル運転が行われると冷却器２１、２５が冷却されるようになっている。冷却器２１、２５の下方には冷却器２１、２５の除霜を行う除霜ヒータ６１、６２が設けられている。６３、６４はドレン受け部材である。
【００２４】
また、凝縮器と第１キャピラリーチューブとの間には冷媒流の切換手段が設けられ、切換手段と冷却器２１とが第３キャピラリーチューブ（不図示）を介して連結されている。そして、切換手段を切り替えることにより、冷却器２１のみの冷却を可能にしている。
【００２５】
冷却器２１は冷気通路２３内に配されており、冷気通路２３は内箱２ｂと樹脂成形品から成るエバカバー３３とにより形成されている。冷気通路２３内の冷却器２１の上方には送風機２２が配されている。冷気通路２３は背面板３３ａに設けられた冷凍室１３への吐出口１３ａ及び戻り口１３ｂにより冷凍室１３と連通している。
【００２６】
冷却器２５は冷気通路２７内に配されている。冷気通路２７の下部は内箱２ｂと野菜室１２の背面板３４とにより形成されている。背面板３４は断熱部材から成り、冷却器２５に近設される野菜室１２の過冷却を防止している。冷気通路２７内の冷却器２５の上方には送風機２６が配されている。冷気通路２７は戻り口１２ｂにより野菜室１２と連通している。
【００２７】
冷気通路２７の上部は氷温室１４の背面板３５に固着される断熱部材３６と内箱２ｂとにより形成されている。断熱部材３６には吐出口３６ａが設けられている。冷蔵室１１の正面図を図２に示すと、背面板３５には吐出口３６ａと同じ位置に吐出口３５ａが設けられている。吐出口３５ａ、３６ａにより冷蔵室１１は冷気通路２７と連通している。
【００２８】
冷気通路２７は冷蔵室１１の背面部分の冷気通路２８と連通している。図２において、冷気通路２８は略中央に配される中央通路２８ａ（第２通路）と、中央通路２８ａの両側部に設けられる側方通路２８ｂ（第１通路）とにリブ２８ｄにより分岐されている。リブ２８ｄは後述する背面板７０と一体に形成されている。また、冷気通路２７も冷気通路２８に対応して分岐通路２７ａ、２７ｂに分岐されている。
【００２９】
中央通路２８ａの下端には送風機２９が配されている。送風機２９の前面には冷蔵室１１に臨む送風機カバー４１が爪嵌合などにて着脱自在に取り付けられている。送風機カバー４１には複数の開口部４１ａが形成されている。また、前記送風機２９と送風機カバー４１の間には、後述するフィルター４１ｂが着脱自在に設けられている。
【００３０】
送風機２９部分の詳細図を図３に示すと、中央通路２８ａは、送風機２９により開口部４１ａを介して冷蔵室１１から取入れられる空気と、送風機２６（図１参照）により冷気通路２７を流通する冷気の一部とが混流するようになっている。冷気通路２７を流通する冷気の一部はフィルター４１ｂと送風機２９の間に設けられた断熱部材４１ｃに衝突し、送風機２９の方向に導かれる。
【００３１】
なお、断熱部材４１ｃの断熱特性により、冷気通路２７からの冷気の冷熱に対する断熱が行われ、フィルター４１ｂ側から流入する比較的暖かい冷蔵室１１（庫内側）からの冷気が、断熱部材４１ｃのフィルター４１ｂ側にて結露する心配はない。
【００３２】
この時、送風機カバー４１の内面にも相応の断熱部材を冷気通路２７からの冷気の流域に設け、結露対策としてもよく、前記フィルター４１ｂを前記断熱部材と兼ねてもよい。また、冷気通路２７からの冷気の一部を、送風機カバー４１のフィルター４１ｂ側に流し、送風機カバー４１を金属等により形成すると、中央通路２８ａを通る冷気の冷熱の一部が送風機カバー４１から冷蔵室１１内に放出されることになる。
【００３３】
前記フィルター４１ｂと送風機２９の間に設けられた前記断熱部材４１ｃは、冷気通路２７からの前記冷気流と前記フィルター４１ｂとを隔離壁として隔離するためのもので、開口部４１ａも前記フィルター４１ｂと前記断熱部材４１ｃとで前記冷気流と隔離されている。これにより、冷気通路２７を流通する冷気が開口部４１ａから冷蔵室１１内へ侵入することを防止している。その結果、冷気漏れによる冷蔵室１１の局部の過冷却を防止でき、さらに、前記送風機カバー４１周辺の結露の防止や、冷気流出による局部的な冷え過ぎや、それによる貯蔵品の凍結の防止ができるようになっている。
【００３４】
なお、前記断熱部材４１ｃ付近に、送風機２９側へ前記冷気が流れるための案内部を設けると、冷気が開口部４１ａから冷蔵室１１内へ侵入することの防止が、さらに確実となる。
【００３５】
また、前記断熱部材４１ｃは通気性をもつ物質（例えば：通気性をもつ硬質発泡ウレタン材）からなっていると、前記断熱部材４１ｃ付近における前記送風機２９の吸引力が冷気通路２７からの冷気の流れよりも強いときは、前記フィルター４１ｂを通して流れる冷蔵室１１側の冷気が、前記断熱部材４１ｃを通しても前記送風機２９に流れ込み、いっそう前記フィルター４１ｂの機能効果が向上する。
【００３６】
なお、前記で断熱部材４１ｃが冷気通路２７からの冷気の案内や隔離をすることも兼ねているが、別物の剛体（例えば：ＡＢＳ材、ＰＳ材等の樹脂材やＦｅ材やＡｌ材等の金属材等：場合によっては穴を設け通気対策をする。）と断熱材（例えば：ガラスウール材やスポンジ材等）とで前記断熱部材４１ｃや隔離壁や案内部を形成してもよい。
【００３７】
そして、冷蔵室１１側の冷気が、フィルター４１ｂを通して流れるとき、前記冷気に含まれる、外部から侵入した冷蔵室１１内のホコリやカビの胞子や菌類等も取り除かれ、冷蔵室１１内の壁面や中央通路２８ａの表面や、さらには、前記冷気が他の貯蔵室にも流れこむため、他の貯蔵室や冷気通路にも、前記ホコリやカビの胞子や菌類等が付着する可能性が少なくなり、ホコリやカビの胞子や菌類の増殖による異臭発生の可能性が減少し、衛生的な冷蔵庫が得られることになる。また、前記フィルター４１ｂに銅繊維や炭素繊維を混ぜると、除菌機能や脱臭機能がさらに付加される。
【００３８】
また、循環通路となる中央通路２８ａの下方に吸込口である開口部４１ａが設けられ、さらには、冷気吐出口である後述する天井吐出口４３ａや吐出部７０ｂが上方に設けられているため、冷気が冷蔵室１１の上方から下方に滞りなく流れるようになり、前記開口部４１ａ付近に設けた、フィルター４１ｂを通過した庫内冷気の循環が、さらによくなる。
【００３９】
また、前記送風機カバー４１や開口部４１ａの各々の外周周辺に突出部４１ｄ、４１ｅを設け送風機カバー４１外部からの防水手段とし、また、前記送風機カバー４１の下方に穴４１ｆを設け送風機カバー４１の排水手段とすると、後述する部材４２の冷蔵室１１側や前記送風機カバー４１表面に、結露等による水滴が生じても、直接前記フィルター４１ｂには水滴がかからず、また、送風機カバー４１内に結露等による水滴が溜まっても、前記穴４１ｆから前記送風機カバー４１の外部に排水され、フィルター４１ｂには水分が吸収されずにすみ、前記フィルター４１ｂをいためることなく、前記フィルター４１ｂが所定の機能（例えば：補菌、殺菌、調湿、脱臭等）をもつ多孔質物質を含んでいても、その多孔質部に水が侵入して、前記機能作用を邪魔したり低下させることがないため、前記機能が長期に継続する冷蔵庫が得られる。
【００４０】
しかも、前記フィルター４１ｂに多孔質からなる物質が含まれていると、その多孔質からなる物質により、臭い等の吸着効果や水分吸着放出による調湿効果（例えば：平均細孔径＝５０〜１１０オングストロームの多孔質材）が生じ、また、多孔質からなる物質付近の冷気通過部における、冷気の接触面積が多孔質であるためさらに増加し、前記の効果がさらに増加することになる。
【００４１】
さらに、フィルター４１ｂと送風機カバー４１の間に隙間が設けられているため、送風機カバー４１から流れ込んだ冷気が、フィルター４１ｂ全面に広がって流れ込むようになり、そのため、通風抵抗が下がり、前記送風機２９への負荷も軽くなり、エネルギーロスの低減に役立ち、さらには、フィルター４１ｂの効果がいっそう増加するばかりでなく、送風機カバー４１での結露等によりフィルター４１ｂ周辺に生じた水分が、前記送風機カバー４１から離れているため、前記フィルター４１ｂ部に侵入してその機能を低下させることもなく、各々の機能がさらに効果的に長期に継続する冷蔵庫が得られる。
【００４２】
冷気通路２８は冷蔵室１１の内壁を形成する部材４２と内箱２ｂ上に設けられた背面板７０とにより形成されている。背面板７０は前記の背面板３５と一体に形成されている。部材４２は図５に示すような形状の熱伝導性を有する熱伝導部材（例えば、加工性が良く防錆効果の高いアルミニウムやその合金やステンレス等）から形成されている。
【００４３】
これにより蓄冷及び冷熱の放出を可能にしている。なお、前記熱伝導部材の厚みが厚い場合は蓄冷能力が上がり、強度も増加する。厚みが薄い場合は冷熱の放出効率が上がり、軽量化にも有利である。そのため、目的に応じて薄板材や厚板材を適時適所に選び設ければよい。
【００４４】
部材４２の表面に凹凸形状をプレス加工等により設けると、表面積を増加させることができる。これにより蓄冷や冷熱の放出量が増加して冷却効率の向上を図ることができる。更に、線状に連続する凹部または凸部を設けることにより、部材４２の強度を補強することができる。
【００４５】
また、部材４２の上端と下端部分の断面詳細図を図７、図８に示す。これらの図によると、部材４２は背面板７０に設けられた上取付部７１及び背面板３５に設けられた下取付部７２により係止される。上取付部７１のレバー部７１ａを手指で押上げると爪部７１ｂの係合が解除される。
【００４６】
この状態で部材４２の上部を手前に倒して、上方に引上げることにより部材４２は下取付部７２からはずすことができ、部材４２は着脱自在になっている。これにより冷気通路２８や部材４２の冷気通路２８側の清掃等を容易に行うことができるようになっている。なお、部材４２の下部は断熱部材３６に固着されるシール材７３により密閉されている。
【００４７】
また、前記制御装置１ｂと電気的に接続されている後述する温度検知手段７５は、前記部材４２上にはなく、その周辺に設けられているため、さらに、前記部材４２は着脱しやすくなっている。
【００４８】
冷蔵室１１の上面断面図を図４に示すと、側方通路２８ｂを覆う部材４２の側方通路２８ｂ側の面には、側方通路２８ｂを通る冷気の冷熱の多くを部材４２に伝達させないように断熱部材２８ｃが配されている。側方通路２８ｂの側壁は背面板７０により形成されており、側壁には複数の開口部７０ａが設けられている。
【００４９】
背面板７０には部材４２の外側周辺を覆う壁面部７０ｃが形成されている。壁面部７０ｃには開口部７０ａと連通する複数の吐出部７０ｂが凹設されている。従って、吐出部７０ｂ及び開口部７０ａを介して、側方通路２８ｂは冷蔵室１１と連通し、冷気を冷蔵室１１に吐出できるようになっている。
【００５０】
図２において、壁面部７０ｃは載置部７４に着脱自在に載置される棚４５と同じ高さ付近に形成され、棚４５上に載置される食品等が吐出部７０ｂに落下しないようになっている。そして、開口部７０ａは貯蔵物が側方通路２８ｂに落込まないようにスリット状になっている。また、背面板７０には冷気を吐出部７０ｂに導くリブ７０ｄが形成されている。なお、本図においては棚４５と仕切板４６は、それらの後方をわかりやすくするため、２点鎖線で描いている。
【００５１】
そして、冷蔵室１１は棚４５にて複数に区画され、そのうちの上下方向で中央よりの区画内の吐出部７０ｂ上方に温度検知手段７５は設けられている。なお、前記温度検知手段７５は例えばサーミスターからなり、背面板７０の壁面部７０ｃやその付近の一部を冷蔵室１１側に突出させ、その部をスリット状に開口させた開口部７０ｅの裏側（内箱２ｂ側）付近に温度検知手段７５は取り付けられている。
【００５２】
そのため、開口部７０ａを通り吐出部７０ｂから吐出された冷気は、温度検知手段７５には直接当たることなく、前記棚４５、４５で区画された空間の庫内空気と混ざりながら、前記棚４５に収められた貯蔵物を冷却した後、冷蔵室１１の下方にある貫通口３２ａに導かれ、前記棚４５の前方から下方へ流れる。
【００５３】
このとき、棚４５、４５で区画された空間の吐出部７０ｂから吐出された冷気と混ざった庫内空気が、前記温度検知手段７５周辺にも充満し、前記部材４２の冷熱の直接の影響もなく冷蔵室１１の庫内温度として検出される。なお、前記開口部７０ｅの冷蔵室１１側周辺には、吐出部７０ｂから吐出された冷気が温度検知手段７５に直接当たらないように、必要に応じて遮蔽リブ７０ｆが設けられている。
【００５４】
また、前記温度検知手段７５はその中心部が前記吐出部７０ｂの上方約５０ｍｍの位置にあり、棚４５の水平面裏面の下方約４０ｍｍの位置にあり、冷蔵室１１のほぼ平均室温に相当する庫内温度を検出する。なお、前記温度検知手段７５は、棚４５、４５で区画された同一区画内の吐出部７０ｂの上方１０ｍｍ以上、前記棚４５で上側にある棚４５の水平面裏面の下方２０ｍｍ以上離れていれば、前記吐出部７０ｂからの冷気流や上側の前記棚４５の裏面に漂う比較的暖かい冷気等の影響もなく、冷蔵室１１のほぼ平均室温に相当する庫内温度を検出する。
【００５５】
そして、部材４２の冷熱で冷却された庫内の冷気は、前記部材４２の冷蔵室１１側付近を下方へおりるとともに、吐出部７０ｂから吐出された冷気と混ざりあいながら庫内の空間を流れるため、前記冷熱による冷気が直接前記温度検知手段７５に当たることもなく、さらに適正な温度に庫内を保つことができる。
【００５６】
なお、開口部７０ａと連通する前記吐出部７０ｂは、場合によっては、棚４５にて複数に区画された全ての空間に各々設ける必要はなく、前記冷蔵室１１の下方の空間には前記吐出部７０ｂを設けずにしておき、上方の棚４５、４５の２段のみに左右に開口部７０ａと連通する前記吐出部７０ｂを設け、前記棚４５の後端と冷蔵室１１の背面（部材４２の面も含む）部とに隙間を設けておくと、冷蔵室１１の前後の上方から冷気が下がり、下方の空間をも冷却し、送風機２９による庫内空気の撹拌効果と同時に、部材４２の冷熱効果も働き、前記冷蔵室１１は均一に冷却されることになる。
【００５７】
また、前記温度検知手段７５は左右方向を長手方向としたため、温度検知手段７５の上下方向の領域が少なくてすみ、吐出口の位置する領域を広くとれ、条件にあわせて開口部７０ａや吐出部７０ｂが設けられ、さらに庫内温度の均一化がはかれる。
【００５８】
また、前記吐出部７０ｂの前記開口部７０ａに通じる上側壁面部を、吐出部７０ｂ側へ行くほど下方になるように若干傾斜させて形成しておくと、吐出される冷気が下方へ流出するようになり、さらに、上方に設けられた温度検知手段７５への前記冷気の影響はなくなり、さらに適正な温度に庫内を保つことができる。なお、前記吐出部７０ｂの上部に前記遮蔽板７０ｆに相当する突出部を前方に行くほど下方に傾斜するように設けても前記同様の効果が得られる。
【００５９】
冷蔵室１１の天井部分には樹脂成形品から成る上面板４３と内箱２ｂにより天井ダクト５４が形成されている。天井ダクト５４は左右に並設されており、中央通路２８ａと連通している。中央通路２８ａを通る冷気は背面板７０に形成されるリブ７０ｇにより左右に拡散されて天井ダクト５４に導かれる。
【００６０】
そして、上面板４３の前後方向に複数設けられた天井吐出口４３ａにより左右に分散して冷気を吐出できるようになっている。中央通路２８ａを通る冷気は天井ダクト５４に流入する前に左右に拡散されているため、冷蔵室１１の背面板７０に近い位置に設けられた天井吐出口４３ａからも充分冷気が吐出される。そのため、冷蔵室１１の天井部の全域から冷気が降りることになり庫内温度の均一化に役立つ。なお、左右の天井ダクト５４の間には透明な照明カバー５３で覆われる照明灯５１が設けられている。
【００６１】
また、前記部材４２は冷蔵室１１の背面の多くの領域をしめており、前記照明灯５１の反射板の役目をもはたしており、前記部材４２による照明灯５１の反射光は冷蔵室１１の多くの領域を照らす。そして、前記温度検知手段７５は前記部材４２以外の所に位置するため、部材４２は欠ける所なく充分広くとれ、前記反射板としての効果は充分得られる。
【００６２】
そして、前記天井ダクト５４を部材４２と同様のもの（例えば、熱伝導部材）にて形成されていると、天井ダクト５４の冷蔵室１１側全域からも冷熱効果による庫内への冷却が行われ、より庫内温度の均一化に役立ち、また、光の反射板としての効果も得られることは明白である。
【００６３】
前記構成の冷蔵庫１において、冷凍室１３の庫内温度が上昇し、前記冷凍室１３に設けられた温度検知手段（不図示）で検出された温度が所定の温度（例えば−１８℃）を越えたとき、圧縮機２０および送風機２２が制御装置１ｂにて駆動されると、冷凍室１３内の空気は戻り口１３ｂから冷気通路２３に導かれる。該空気は冷却器２１と熱交換して冷却され、吐出口１３ａから冷凍室１３に流入する。これにより冷凍室１３内が所定の温度に冷却される。
【００６４】
また、冷蔵室１１の庫内温度が上昇し、冷蔵室１１の背面に設けられた前記温度検知手段７５で検出された温度が所定の温度（例えば５℃）を越えたとき、圧縮機２０および送風機２６、２９が制御装置１ｂにて駆動されると、野菜室１２内の空気は戻り口１２ｂから冷気通路２７に導かれる。該空気は冷却器２５と熱交換して冷却され冷気が生成される。該冷気の一部は開口部３５ａ、３６ａから氷温室１４に流入する。これにより氷温室１４内が例えば−１℃に冷却される。
【００６５】
他の冷気は中央通路２８ａ及び側方通路２８ｂに分岐して進行する。側方通路２８ｂを通る冷気はリブ７０ｄに案内されて吐出部７０ｂから冷蔵室１１内に吐出される。中央通路２８ａを通る冷気は、開口部４１ａから中央通路２８ａに導かれる冷蔵室１１内の空気と混流される。そして、天井ダクト５４を通り、天井吐出口４３ａから吐出される。
【００６６】
また、中央通路２８ａ内を流通する冷気による冷熱の一部は部材４２に伝えられ、側方通路２８ｂの前面を含む全面から冷蔵室１１に冷熱として放出される。従って、部材４２からの冷熱と、吐出部７０ｂ及び天井吐出口４３ａから分散して吐出される冷気とにより、冷蔵室１１内が効率良く均一に冷却される。
【００６７】
冷蔵室１１内の空気は棚４５の間や棚４５の前面を通り氷温室１４の下方から開口部３２ａを介して冷気通路３０を流通し、野菜室１２内の前方に流入する。更に収納容器５４の前面から下方を通り、野菜室１２内が冷却される。そして、戻り口１２ｂから冷却器２５の下部に導かれて冷気が循環する。
【００６８】
なお、図１における、前記開口部３２ａや戻り口１２ｂ、１３ｂ付近に、前記フィルター４１ｂ同様にフィルターを設けると、野菜室１２や冷却器２１、２５に流れ込む冷気がフィルターの効果を受け、関連する冷気通路や野菜室１２や冷却器２１、２５に、外部から侵入したホコリやカビの胞子や菌類等が付着する可能性が少なくなり、ホコリやカビの胞子や菌類の増殖による異臭発生の可能性が減少し、さらに衛生的な冷蔵庫が得られることになる。
【００６９】
そして、前記温度検知手段７５の検出結果に基づいて圧縮機２０及び送風機２６が運転及び停止するよう制御装置１ｂで制御され、冷蔵室１１及び野菜室１２の温度は例えば３℃前後の温度に維持されるようになっている。
【００７０】
また、前記温度検知手段７５で検出された温度が所定の温度（例えば５℃）を越えたとき、前記圧縮機２０及び送風機２６、２９が運転され、冷却器２５にて冷却された冷気により、冷蔵室１１及び野菜室１２が冷却され、温度検知手段７５で所定の検出温度（例えば１℃）になったとき、前記圧縮機２０及び送風機２６、２９が停止される。
【００７１】
その後、温度検知手段７５で所定の検出温度（例えば３℃）になったとき、冷却器２５による冷却を停止したままで送風機２６、２９の一方または両方を運転するように制御装置１ｂで制御すると、部材４２に蓄積された冷熱により中央通路２８ａを通る冷気が冷却され、該冷気によって冷蔵室１１内の冷却が行われるため、長時間冷蔵室１１を低温に保て、圧縮機２０のＯＮ−ＯＦＦのサイクル数が削減され、圧縮機２０の起動時の多量な消費電力が削減でき、エネルギーの省力化につながる。
【００７２】
さらには、前記送風機２９の運転により、冷蔵室１１内の空気は撹拌され、貯蔵物への冷気送風が増し冷却効率も良好になり、また、庫内の冷気温度はさらに均一になる。なお、圧縮機２０を停止して送風機２６を運転する場合は、さらに冷却器２５の除霜をして冷蔵室１１内の加湿を行うこともできる。
【００７３】
なお、本実施形態によると、前記冷媒流の切換手段（不図示）により冷却器２１のみの冷却にて前記冷凍室１３のみを冷却することが可能であり、冷蔵室１１を冷却する場合は、前記切換手段にて冷却器２５、２１の冷却にて、冷蔵室１１、野菜室１２、冷凍室１３を冷却するようになっている。
【００７４】
また、本実施形態によると、中央通路２８ａを通る冷気の冷熱の一部は熱伝導板として機能する部材４２を熱伝導し、全面から冷蔵室１１内に放出される。従って、冷蔵室１１は中央通路２８ａと側方通路２８ｂを覆う広い面積から一様に放出される冷熱により均一に冷却される。そして、前記部材４２内に前記温度検知手段７５が位置しないため、温度検知手段７５は前記冷熱による影響をうけにくく、より正確な冷蔵室１１の庫内温度を検出する。
【００７５】
この時、断熱部材２８ｃにより、側方通路２８ｂを通る冷気から部材４２に多くの冷熱は伝達されない。このため、冷気通路２７に多くの冷気を流した際に部材４２や吐出部７０ｂの結露を防止し、冷蔵室１１内の乾燥を防止することができる。そして、断熱部材２８ｃを設置する面積を可変することにより、所望の温度や流量の冷気を流通させることができる。
【００７６】
また、冷気通路２８を通る冷気の温度を低くするか冷気の流量を増やして冷却能力を上げることにより、中央通路２８ａ付近の部材４２の冷蔵室１１側に結露が生じる恐れのある場合や、部材４２の冷気による冷却を和らげるために、薄い断熱部材を中央通路２８ａの部材４２側に設けてもよい。
【００７７】
また、吐出部７０ｂ及び天井吐出口４３ａは冷蔵室１１の背面及び上面に複数設けられるため、冷気が分散して冷蔵室１１に流入する。このため、冷蔵室１１は均一且つ迅速に冷却される。
【００７８】
吐出部７０ｂは、部材４２を開口して形成してもよいが、本実施形態のように部材４２の外側周辺に設ける方が望ましい。即ち、正面側に開口しないため、第１に、冷気通路２８が覆われて美観が向上する。第２に、前面へ直接冷気が吐出されないので、側方通路２８ｂ内の騒音や開口部７０ａでの吐出風の音が正面へ直接出ず、それらの騒音の低減がなされる。
【００７９】
第３に、部材４２に冷気吐出や温度検出等のための開口部がないため部材４２の全面が均一な冷熱の放出に寄与して更に庫内温度が均一となるとともに、照明灯５１等の光反射面としてもムラなく広範囲に利用できる等の効果を得ることができる。
【００８０】
また、中央通路２８ａに面した部材４２は冷気による冷熱が直接伝えられるが、側方通路２８ｂに面した部材４２は中央通路２８ａ部分から冷熱が伝えられる。このため、放出される冷熱は側方通路２８ｂ部分で若干減少し、冷蔵室１１内の温度ばらつきが生じる。
【００８１】
そして、吐出部７０ｂを例えば中央通路２８ａ上に配するとこの温度ばらつきがより大きくなるが、本実施形態では吐出部７０ｂを中央通路２８ａの側壁を成すリブ２８ｄと冷蔵室１１の側壁との間の略中央に配している。これにより、側方通路２８ｂ部分の前方や冷蔵室１１の側壁付近を含めた領域を前記吐出部７０ｂからの冷気で冷却するので、前記温度ばらつきが低減されてより均一な冷熱放出による冷却を行うことができる。
【００８２】
さらに、部材４２も吐出部７０ｂの配置を考慮した上で最大限の広さが採れ、双方の吐出部７０ｂの冷気吐出しと部材４２の冷熱放出とで冷蔵室１１内をより均一に冷却できる。
【００８３】
また、部材４２は図６に示すようなゼリー状や液状の保冷材４２ａを包装材４２ｂ、４２ｃにより封入した蓄冷部材にしてもよい。このようにすると、部材４２は冷気通路２８内を流通する冷気の冷熱でより蓄冷され、冷蔵室１１内の温度分布に応じて冷熱として放出する。従って、冷蔵室１１が均一に冷却される。
【００８４】
さらに、蓄冷部材により圧縮機２０の停止中や冷気通路２８内の冷気温度の変動に対して吸熱や放熱を行い、冷気通路２８内の冷気温度を維持することができるようになる。この時、蓄冷部材が冷蔵室１１の内壁を形成しているので冷蔵室１１のスペースを広くすることができ、冷蔵庫１の省スペース化を図ることができる。包装材４２ｂ、４２ｃを熱伝導性を有するアルミニウム合金やステンレスにするとより望ましい。
【００８５】
また、冷却器２５により低温に生成された冷気は、冷蔵室１１内の空気と混合することにより若干昇温される。これにより、部材４２や天井吐出口４３ａ付近に生じる結露や氷結をより防止することができ、冷蔵室１１及び野菜室１２の乾燥を防止することができる。
【００８６】
さらに、冷蔵室１１及び野菜室１２を冷却する冷却器２５と冷凍室１３を冷却する冷却器２１を設けることにより、冷気通路２７、２８を流通する冷気の温度を冷気通路２３内の冷気の温度より高く設定することができる。これにより、部材４２に生じる結露や氷結をより防止することができる。
【００８７】
また、部材４２は冷蔵室１１の背面に立設されて上下方向に延在している。このため、断熱扉３の開閉回数が多く冷蔵室１１内の温度や湿度が非常に上昇した際に、部材４２に結露して水滴が生じても貯蔵物上に直接滴下することがない。従って、貯蔵物を傷めず、良好な保存状態を維持できる。
【００８８】
この時、冷却器２５で冷却された冷気通路２８内の冷気の送風を停止すると、部材４２が冷蔵室１１内の温度に近づくとともに温度上昇により冷蔵室１１内が乾燥する。これにより、該水滴は部材４２や背面板３５を流下する間に一部が蒸発する。従って、再び冷蔵室１１内の湿度を上昇させることができる。
【００８９】
さらに、部材４２の前方に空気流通可能な多孔性（例えば、小判穴、丸穴等）のフェンス状の防護壁を設けると、部材４２をさらに薄くできるので、冷熱の放出効果が向上し、キズ付防止や破損防止にもなる。
【００９０】
次に、図９は第２実施形態の冷蔵庫を示す側面断面図である。説明の便宜上図１〜図４の第１実施形態と同一の部分には同一の符号を付している。
【００９１】
冷蔵庫１は外部を覆う外箱２ａの内側に内箱２ｂが配され、外箱２ａと内箱２ｂとの隙間には発泡ウレタン等の断熱材２ｃが充填されている。そして、１ａは前記冷蔵庫１の運転を制御する制御装置１ｂを含む電装ボックスであり、前記制御装置１ｂは冷蔵庫１の後述する各々の電気部品と電気的に接続されている。また、冷蔵庫１の内部は上から冷蔵室１１、野菜室１２、冷凍室１３の順に区分けされている。
【００９２】
野菜室１２と冷凍室１３は断熱部材から成る仕切枠１７及び断熱部材から成る仕切板１９に仕切られており、冷凍室１３はさらに断熱部材から成る仕切枠１８により上部と下部に仕切られている。冷蔵室１１と野菜室１２は断熱部材から成る仕切枠１６及び樹脂成形品から成る仕切板３１、３２によって仕切られている。仕切板３２には貫通口３２ａが設けられている。
【００９３】
冷蔵室１１の下部には仕切板４６で仕切られる隔離室である氷温室１４が設けられている。冷蔵室１１には複数の棚４５が設けられている。冷蔵室１１の前面は回動式の断熱扉３により開閉可能になっている。野菜室１２、冷凍室１３の上部及び冷凍室１３の下部は前面が夫々スライド式の断熱扉４、５、６により開閉可能になっており、収納容器５４、５５、５６を引出せるようになっている。
【００９４】
冷凍室１３の後部には圧縮機２０が配されている。圧縮機２０には吐出パイプ２０ａを介して凝縮器（不図示）が連結されており、吸込パイプ２０ｂを介して冷却器２１が連結されている。凝縮器と冷却器２１はキャピラリーチューブ（不図示）を介して連結されている。
【００９５】
これにより冷凍サイクルが構成され、冷凍サイクル運転が行われると冷却器２１が冷却されるようになっている。冷却器２１の下方には冷却器２１の除霜を行う除霜ヒータ６２が設けられている。６４はドレン受け部材である。
【００９６】
冷却器２１は冷気通路２３内に配されており、冷気通路２３の下部は内箱２ｂと樹脂成形品から成るエバカバー３３とにより形成されている。冷気通路２３内の冷却器２１の上方には送風機２２が配されている。冷気通路２３は背面板３３ａに設けられた吐出口１３ａ、１３ｃおよび戻り口カバー３３ｂに設けられた戻り口１３ｂにより冷凍室１３と連通している。
【００９７】
野菜室１２の背面は前述の仕切板１９に覆われており、冷気通路２３の上部の圧力室２３ａはエバカバー３３と仕切板１９とにより形成されている。断熱部材から成る仕切板１９により、冷却器２１に近設される野菜室１２の過冷却を防止している。
【００９８】
冷気通路２３は送風機２２の上方に配される冷気通路２８とダンパー６５を介して連通している。冷気通路２８の下部は氷温室１４の背面板３５に固着される断熱部材３６と内箱２ｂとにより形成されている。図１０に示すように、背面板３５と断熱部材３６には同じ位置に開口部３５ａ、３６ａが設けられている。開口部３５ａ、３６ａにより氷温室１４は冷気通路２８と連通している。
【００９９】
冷気通路２８は略中央に配される中央通路２８ａと、中央通路２８ａの両側部に設けられる側方通路２８ｂとにリブ２８ｄにより分岐されている。リブ２８ｄは後述する背面板７０と一体に形成されている。
【０１００】
冷気通路２８の上部は冷蔵室１１の内壁を形成する部材４２と内箱２ｂ上に設けられた背面板７０とにより形成されている。部材４２は第１実施形態と同様に、アルミニウム合金やステンレス等の熱伝導性を有する熱伝導部材から形成されている。
【０１０１】
冷蔵室１１は前述の図４と同様に、側方通路２８ｂを覆う部材４２の内面には、側方通路２８ｂを通る冷気の冷熱の多くを部材４２に伝達させないように断熱部材２８ｃが配されている。側方通路２８ｂの側壁は背面板７０により形成されており、側壁には複数の開口部７０ａが設けられている。
【０１０２】
背面板７０には部材４２の外側周辺を覆う壁面部７０ｃが形成されている。壁面部７０ｃには開口部７０ａと連通する複数の吐出部７０ｂが凹設されている。従って、吐出部７０ｂ及び開口部７０ａにより、側方通路２８ｂは冷蔵室１１と連通し、冷気を冷蔵室１１に吐出できるようになっている。
【０１０３】
壁面部７０ｃは載置部７４に載置される棚４５と同じ高さ付近に形成され、棚４５に載置される食品等が吐出部７０ｂに落下しないようになっている。また、背面板７０には冷気を吐出部７０ｂに導くリブ７０ｄが形成されている。そして、開口部７０ａは貯蔵物が側方通路２８ｂに落込まないようにスリット状になっている。なお、図１０においては棚４５と仕切板４６は、それらの後方をわかりやすくするため、２点鎖線で描いている。
【０１０４】
そして、冷蔵室１１は棚４５にて複数に区画され、そのうちの上下方向で中央よりの区画内の吐出部７０ｂ上方に温度検知手段７５は設けられている。なお、前記温度検知手段７５は例えばサーミスターからなり、背面板７０の壁面部７０ｃやその付近の一部を冷蔵室１１側に突出させ、その部をスリット状に開口させた開口部７０ｅの裏側（内箱２ｂ側）付近に温度検知手段７５は取り付けられている。
【０１０５】
冷蔵室１１の天井部分には樹脂成形品から成る上面板４３と内箱２ｂにより天井ダクト５４が形成されている。天井ダクト５４は左右に並設されており、中央通路２８ａと連通している。中央通路２８ａを通る冷気は背面板７０に形成されるリブ７０ｇにより左右に拡散されて天井ダクト５４に導かれる。
【０１０６】
そして、上面板４３に設けられた天井吐出口４３ａにより左右に分散して冷気を吐出できるようになっている。左右の天井ダクト５４の間には透明な照明カバー５３で覆われる照明灯５１が設けられている。
【０１０７】
前記構成の冷蔵庫１において、冷凍室１３の庫内温度が上昇し、前記冷凍室１３に設けられた温度検知手段（不図示）で検出された温度が所定の温度（例えば−１８℃）を越えたとき、圧縮機２０および送風機２２が制御装置１ｂにて駆動されると、冷凍室１３内の空気は戻り口１３ｂから冷気通路２３に導かれる。該空気は冷却器２１と熱交換して冷却され、吐出口１３ａ、１３ｃから冷凍室１３に流入する。これにより冷凍室１３内が所定の温度に冷却される。
【０１０８】
また、冷蔵室１１の庫内温度が上昇し、冷蔵室１１の背面に設けられた前記温度検知手段７５で検出された温度が所定の温度（例えば５℃）を越えたとき、制御装置１ｂにて圧縮機２０および送風機２２が駆動されダンパー６５を開くことにより、冷却器２１と熱交換した冷気はダンパー６５を介して冷却通路２８内を流通するようになり、該冷気の一部は開口部３５ａ、３６ａから氷温室１４に流入する。これにより氷温室１４内が例えば−１℃に冷却される。
【０１０９】
他の冷気は中央通路２８ａ及び側方通路２８ｂに分岐して進行する。側方通路２８ｂを通る冷気はリブ７０ｄに案内されて吐出部７０ｂから冷蔵室内に吐出される。中央通路２８ａを通る冷気は、天井ダクト５４を通り、天井吐出口４３ａから吐出される。
【０１１０】
また、中央通路２８ａ内を流通する冷気による冷熱の一部は部材４２に伝えられ、側方通路２８ｂの前面を含む全面から冷蔵室１１に冷熱として放出される。従って、部材４２からの冷熱と、吐出部７０ｂ及び天井吐出口４３ａから分散して吐出される冷気とにより冷蔵室１１内が効率良く均一に冷却される。
【０１１１】
冷蔵室１１内の空気は棚４５の間や棚４５の前面を通り氷温室１４の下方から開口部３２ａを介して冷気通路３０を流通し、野菜室１２内の前方に流入する。更に収納容器５４の前面から下方を通り、野菜室１２内が冷却される。そして、流出口（不図示）からダクト（不図示）を通り冷却器２１の下部に導かれて冷気が循環する。図２と同様の温度検知手段７５で検出された冷蔵室１１の温度に応じてダンパー６５が開閉し、冷蔵室１１及び野菜室１２の温度を例えば３℃に維持するようになっている。
【０１１２】
本実施形態によると、第１実施形態と同様に、部材４２は中央通路２８ａを通る冷気の冷熱の一部を熱伝導させて冷蔵室１１内に放出する熱伝導板として機能している。従って、冷蔵室１１は広い面積から一様に放出される冷熱により均一に冷却される。
【０１１３】
この時、断熱部材２８ｃにより側方通路２８ｂを通る冷気から部材４２に冷熱の多くは伝達されない。このため、冷気通路２７に多くの冷気を流しても部材４２や吐出部７０ｂに結露が生じることがない。断熱部材２８ｃを設置する面積を可変することにより、所望の温度や流量の冷気を流通させることができる。
【０１１４】
また、吐出部７０ｂを部材４２の外側周辺に設けることにより、美観の向上、騒音を防止、全面から均一な冷熱の放出、及び光反射面として広範囲の利用を図ることができる。そして、吐出部７０ｂを中央通路２８ａの側壁を成すリブ２８ｄと冷蔵室１１の側壁との間の略中央に配しているので、温度ばらつきが低減され、より均一な冷却を行うことができる。部材４２は前記と同様に図６に示すような蓄冷部材にしてもよい。
【０１１５】
本実施形態の中央通路２８ａに前述の図３に示す送風機２９や送風機カバー４１やフィルター４１ｂ等を設けると、冷蔵室１１内の冷気と中央通路２８ａを通る冷気とが混合され、第１実施形態と同様の効果を得ることができる。
【０１１６】
そして、温度検知手段７５および遮蔽リブ７０ｆを部材４２周辺の吐出部７０ｂ上方に設けてあるため、冷気吐出や温度検出等のための開口部もなく、広い領域に前記部材４２を設けることができ部材４２全面が均一な冷熱の放出に役立ち、庫内温度が均一となるとともに、光反射面としてもむらなく広範囲に利用でき、さらに、温度検知手段７５に関しては、前記部材４２の冷熱や庫内に吐出された冷気の影響もうけにくく、正確な庫内温度の検出ができ、庫内をより適正な温度に保てる冷蔵庫が得られる。
【０１１７】
また、前記温度検知手段７５は左右方向を長手方向としたため、温度検知手段７５の上下方向の領域が少なくてすみ、吐出口の位置する領域を広くとれ、条件にあわせて開口部７０ａや吐出部７０ｂが設けられ、さらに庫内温度の均一化がはかれ、前記吐出部７０ｂの前記開口部７０ａに通じる上側壁面部を、吐出部７０ｂ側へ行くほど下方になるように若干傾斜させて形成しておくと、吐出される冷気が下方へ流出するようになり、さらに、上方に設けられた温度検知手段７５への前記冷気の影響はなくなり、さらに適正な温度に庫内を保つことができる。
【０１１８】
また、図１１において、本図は前記フィルター４１ｂを冷蔵室１１側から見た図であるが、前記フィルター４１ｂはコルゲート状材４１ｇと縦材４１ｈを互いに接着し、トンネル状にして、所定の大きさ（例えば：縦９０ｍｍ×横８０ｍｍ）に形成したものの外周を、外周材４１ｉにて覆い接着し、所定の厚さ（例えば：４．５ｍｍ）に切断したものである。
【０１１９】
また、前記フィルター４１ｂは、パルプを基材とした不織布に抗菌性やウイルス吸着性をもつハイドロキシアパタイト（Ｃａ１０（ＰＯ４）６（ＯＨ）２）を固定したものである。また、前記ハイドロキシアパタイトには多孔質部が形成され、前記多孔質部は活性炭等と同様の臭いの分子（例えば：アンモニア系、二酸化窒素等）を吸着する働きをもっている。
【０１２０】
そのため、前記フィルター４１ｂを庫内の冷気が通過するとき、多孔質からなる抗菌や脱臭の機能で、経路における冷気の接触面積がさらに増加して、抗菌性やウイルス吸着性により、いっそう菌類の繁殖を防ぎ、庫内冷気の補菌や脱臭ができ、庫内の壁面や循環通路表面にはホコリやカビの胞子や菌類や臭い等が付着する可能性が少なくなり、ホコリやカビの胞子や菌類の増殖による異臭発生の可能性が減少し、よりいっそう衛生的な冷蔵庫が得られる。
【０１２１】
なお、前記はフィルター４１ｂにパルプを基材とした不織布にハイドロキシアパタイトを固定したものであったが、基材にはポリエチレン等の樹脂材でもよく、脱臭剤としては、炭素繊維を用いたり、活性炭や酸化珪素やマンガン酸化物等を混合したものを不織布で包んだものや、その他低温脱臭剤を使用してもよく、抗菌剤としては、銀ゼオライトや銅繊維等を用いてもよく、さらには、前記フィルター４１ｂやその付近の部材（例えば：別フィルターを設ける。断熱部材４１ｃや送風機カバー４１等）に、それらの機能を付加しても、前記同様の効果が得られる。
【０１２２】
また、前記フィルター４１ｂやその付近の部材（例えば：別フィルターを設ける。断熱部材４１ｃや送風機カバー４１等）に調湿材（例えば：多孔質シリカ材、シリカゲル、ポリアクリル酸ナトリュウム等）を付加すると、水分等の吸着放出による調湿効果が生じ、庫内冷気の調湿がさらにできるようになる。
【０１２３】
さらに前記フィルター４１ｂは、冷蔵室１１側と循環送風機である送風機２９側とを結ぶ経路をもち、前記経路の各々の側に開口部をもつコルゲート状のトンネルからなるフィルターであるため、前記経路を通過する冷気のフィルター表面に接触する接触面積が増加して、フィルターの効果がさらに増加し、しかも、前記フィルター４１ｂがコルゲート状のトンネルであるため強度がさらに増加し、送風機２９を前記フィルター４１ｂに近づけて設けても、前記送風機２９が運転された場合、送風機２９にフィルター４１ｂが吸い付けられる心配が少なくなる。
【０１２４】
また、本図においては、コルゲート状材４１ｇは、順次左右方向に平行移動した状態で、縦材４１ｈと互いに接着されているが、前記コルゲート状材４１ｇが半ピッチずつ上下方向にずれて、順次左右方向に平行移動し、縦材４１ｈを同位置で左右から挟む（隣同士のコルゲート状材４１ｇの山の頂点と谷の底点が縦材４１ｈに上下方向で同位置に互いに接する。）ようにして接着すると、さらに強度が増す。
【０１２５】
なお、前記フィルター４１ｂで、コルゲート状材４１ｇと縦材４１ｈからなる冷気の通過経路は、前後方向で上下に傾斜していると、さらに、前記通過経路の長さは増加し、前記経路を通過する冷気のフィルター表面に接触する接触面積がさらに増加して、フィルターの効果がいっそう増加することになる。
【０１２６】
しかも、前記で、フィルター４１ｂを左右方向からみて、送風機２９側へ進むずつ上方へあがる傾斜となっていると、庫内側から水滴等が入り込んでも、表面張力でコルゲート状の一つの開口部を水滴が塞がない水量であれば、自重で前方へ流し出すかその場に留まり、フィルター４１ｂの内部まで水分が入り込まなくなり、さらに、フィルター４１ｂの効果が長期に継続する冷蔵庫が得られる。
【０１２７】
そして、前記傾斜は前記送風機２９へ向かうように、その冷気流にそった角度に近い角度（例えば：簡易的には、送風機２９のプロペラファンの回転軸に近い角度。遠心ファンでは吸込口に向かう角度。クロスフローファンでは渦流に向かう主流に平行な角度）にしておくと、送風機２９の案内の役目にもなり、さらに送風効率は向上することになる。
【０１２８】
また、前記フィルター４１ｂの冷気通過経路の開口部形状はコルゲート状であるが、前記開口部形状が多角形（例えば：四角形、六角形）でも略円形の集まりの形状（例えば：ストロー状のものを束ねて接着し、所定の厚さに切断したもの。）でもよく、トンネル状の通過経路であれば、前記同様の効果が得られる。
【０１２９】
さらに、前記フィルター４１ｂは、前記冷気通過経路の開口部形状をもつ一枚のシート状にして、それを前記冷気通過経路に平行な方向を軸方向としてロール状に巻き、前記ロール状の状態がくずれないように接着し、所定の厚さに切断したものであってもよい。
【０１３０】
そして、図１２において、本図は前記図１１に示したフィルター４１ｂを上方から見た図で、４１ｊは冷蔵室１１側のフィルターの表面側、４１ｋは送風機２９側のフィルターの裏面側で、フィルターの表面側４１ｊの中央が前方（庫内側）へ突き出している。
【０１３１】
そのため、送風機２９が運転されて、前記フィルター４１ｂの通風抵抗で、送風機２９側へ前記フィルター４１ｂを引き付ける力が働いても、フィルター４１ｂでの変形応力が左右に分散され、前記フィルター４１ｂの左右両端の少なくとも一部が左右および後方で支持されていると、略アーチ状効果で前記変形応力に打ち勝ち変形は免れる。
【０１３２】
それゆえ、前記送風機２９を前記フィルター４１ｂに近づけて設けても、前記送風機が運転された場合、前記略アーチ状効果で送風機にフィルター４１ｂが吸い付けられ損傷する心配が少なくなる。
【０１３３】
なお、前記フィルター４１ｂの中央部の前方（庫内側）への突き出し形状は、略アーチ状のみに留まらず、への字のような山形の形状であっても、楕円状の形状であっても、前方に突き出していれば、前記と同様の効果が得られる。
【０１３４】
さらに、フィルター４１ｂの損傷防止のため、前記フィルター４１ｂと前記送風機２９の間に、通気性のあるガードを設けてもよい。
【０１３５】
また、前記第１、第２実施形態は、冷気通路２８を中央通路２８ａと２つの側方通路２８ｂとの３分割に分岐した実施例であるが、冷気通路２８を４個以上の分岐通路に分岐して冷気供給量に合わせて適所に断熱材を設けた場合であっても同様の効果を得ることができる。例えば、冷気通路２８を５分割とし、中央部以外に断熱部材を上記と同様に設ける。そして、左右の各２通路の内、中央側の通路を通って上昇する冷気を外側の通路を通って下降させて冷蔵室１１内に吐出するようにしてもよい。
【０１３６】
さらに、図３において、冷気通路２７からの送風機２９の吸込側へ通じる冷気通路をふさぎ、前記冷気通路２７からの冷気が中央通路２８ａに流れ込まないようにして、単に送風機２９による庫内冷気の循環流を中央通路２８ａを通して生じさせたり、前記構造に加えて、図４における断熱部材２８ｃの少なくとも一部の厚さを薄くするか、または、一部をなくしたり、または、前記を組み合わせて、側方通路２８ｂの冷気流から冷蔵室１１側への冷熱の一部の供給量を増すようにしても、前記各々の効果は同様に得られる。なお、前記のことは、図９の同等位置に図３のような送風機２９等を設けた場合も同様である。
【０１３７】
また、前記氷温室１４は冷気量の調整にて他の温度帯の隔離室（例えば：パーシャル室＝−３℃、野菜室＝３℃）となるようにしてもよい。
【０１３８】
なお、本発明において、冷気通路を通る冷気による冷熱の一部が部材を介して貯蔵室内に放出されるとは、冷気通路を通る冷気の一部が部材から吸熱して該部材を冷却し、部材が貯蔵室内から吸熱して貯蔵室内を冷却することを意味する。
【０１３９】
また、前記で左右方向とは、冷蔵庫を正面から見て左右の方向を意味し、前後方向とは、冷蔵庫を正面から見て前後の方向を意味する。
【０１４０】
【発明の効果】
本発明によると、貯蔵室の背壁側中央付近にも冷気がまわりやすくなり、いっそう庫内冷気の循環もよくなり、庫内がさらに均一に冷却されるようになり、しかも、吸込口付近のフィルターで、外部から侵入した庫内のホコリやカビの胞子や菌類等も取り除かれ、庫内の壁面や循環通路表面には前記ホコリやカビの胞子や菌類等が付着する可能性が少なくなり、ホコリやカビの胞子や菌類の増殖による異臭発生の可能性が減少し、衛生的な冷蔵庫が得られる。しかも、循環通路部にも冷却器で冷却された冷気の一部が流れるようになり、冷気通路を通る冷気の冷熱の一部は蓄冷部材や熱伝導部材から成る広い面積の部材にさらに伝えられ、全面から庫内に放出されるため、庫内は広い面積から一様に放出される冷熱によりさらに均一に冷却される冷蔵庫が得られる。しかも、前記冷気流と前記フィルターとを隔離するための隔離壁や断熱材を設けているため、前記冷気が送風機カバー側や庫内側に流出する恐れが少なくなり、前記送風機カバー周辺の結露の防止や、冷気流出による局部的な冷え過ぎや、それによる貯蔵品の凍結の防止ができる、衛生的な冷蔵庫が得られる。
【０１４１】
また、本発明によると、循環通路の下方に吸込口が設けられているため、フィルターを通過した庫内冷気の循環がさらによくなり、貯蔵室の背壁側中央付近にも冷気がさらに均一にまわりやすくなるため、庫内がさらに均一に冷却されるようになり、しかも、吸込口付近のフィルターで、外部から侵入した庫内のホコリやカビの胞子や菌類等も取り除かれ、庫内の壁面や循環通路表面には前記ホコリやカビの胞子や菌類等が付着する可能性が少なくなり、ホコリやカビの胞子や菌類の増殖による異臭発生の可能性が減少し、衛生的な冷蔵庫が得られる。
【０１４２】
そして、本発明によると、冷気通路を通る冷気の冷熱の一部は蓄冷部材や熱伝導部材から成る広い面積の部材に伝えられ、全面から庫内に放出されるため、庫内は広い面積から一様に放出される冷熱によりいっそう均一に冷却される。しかも、循環通路の下方に吸込口が設けられているため、フィルターを通過した庫内冷気の循環がさらによくなり、貯蔵室の背壁側中央付近にも冷気がさらに均一にまわりやすくなるため、庫内がさらに均一に冷却されるようになり、しかも、吸込口付近のフィルターで、外部から侵入した庫内のホコリやカビの胞子や菌類等も取り除かれ、庫内の壁面や循環通路表面には前記ホコリやカビの胞子や菌類等が付着する可能性が少なくなり、ホコリやカビの胞子や菌類の増殖による異臭発生の可能性が減少し、衛生的な冷蔵庫が得られる。
【０１４３】
そしてまた、本発明によると、送風機をフィルターに近づけて設けても、前記送風機が運転された場合、前記略アーチ状効果で送風機にフィルターが吸い付けられ損傷する心配が少なくなる冷蔵庫が得られる。
【０１４４】
さらに、本発明によると、庫内側と循環送風機側とを結ぶ経路をもち、前記経路の各々の側に開口部をもつトンネル状のフィルターであるため、前記経路を通過する冷気のフィルター表面に接触する接触面積を増加しても、フィルターの通風抵抗があまり増加することなくフィルターの効果がさらに増加し、しかも、前記フィルターがトンネル状であるため強度がさらに増加し、循環送風機を前記フィルターに近づけて設けても、前記送風機が運転された場合、送風機にフィルターが吸い付けられる心配がさらに少なくなる冷蔵庫が得られる。
【０１４５】
さらにまた、本発明によると、フィルターのトンネル状経路は傾斜しているため、フィルターの厚みを増さずにさらにフィルター表面が増し、フィルターの通風抵抗があまり増加することなくフィルターの効果がさらに増加する冷蔵庫が得られる。
【０１４６】
しかも、本発明によると、フィルターのトンネル状経路の傾斜は後方に行くほど高くなっているため、前記フィルター内に庫内側から水滴が入り込んでも、前方に流れ出し、フィルターの効果が長期に継続する冷蔵庫が得られる。
【０１４７】
そのうえ、本発明によると、抗菌や調湿や脱臭の機能で、菌類の繁殖を防ぎ、水分等の吸着放出による調湿効果や脱臭効果が生じ、庫内冷気の補菌や調湿や脱臭ができ、庫内の壁面や循環通路表面にはホコリやカビの胞子や菌類や臭い等が付着する可能性が少なくなり、ホコリやカビの胞子や菌類の増殖による異臭発生の可能性が減少し、さらに衛生的な冷蔵庫が得られる。
【０１４８】
また、本発明によると、多孔質からなる物質により、臭い等の吸着効果や水分吸着放出効果が生じ、また、通過部における冷気の接触面積がさらに増加し、前記効果が増加し、また、多孔質からなる抗菌や調湿や脱臭の機能が追加されると、通過部における冷気の接触面積がさらに増加し、いっそう菌類の繁殖を防ぎ、水分等の吸着放出による調湿効果や脱臭効果が生じ、庫内冷気の補菌や調湿や脱臭ができ、庫内の壁面や循環通路表面にはホコリやカビの胞子や菌類や臭い等が付着する可能性が少なくなり、ホコリやカビの胞子や菌類の増殖による異臭発生の可能性が減少し、よりいっそう衛生的な冷蔵庫が得られる。
【０１４９】
そして、本発明によると、防水手段や排水手段が設けられることにより、結露等によりフィルター周辺に生じた水分が、フィルター周辺から排除され、また、多孔質物質が含まれている場合は、前記多孔質部に多量の水分が侵入してその機能を低下させることがないため、前記各々の機能が長期に継続する冷蔵庫が得られる。
【０１５０】
そしてまた、本発明によると、フィルターと送風機カバーの間に隙間が設けられているため、カバーから流れ込んだ冷気が、フィルター全面に流れ込み、フィルターの効果がさらに増加するばかりでなく、結露等により送風機カバー周辺に生じた水分が、前記フィルター部に侵入してその機能を低下させることがないため、各々の機能がさらに効果的に長期に継続する冷蔵庫が得られる。
【０１５１】
さらに、本発明によると、天井部から冷気が降りることになり庫内温度が均一化するようになる。
【図面の簡単な説明】
【図１】本発明の第１実施形態の冷蔵庫の側面断面図である。
【図２】本発明の第１実施形態の冷蔵庫の冷蔵室の正面図である。
【図３】本発明の第１実施形態の冷蔵庫の要部詳細図である。
【図４】本発明の第１実施形態の冷蔵庫の上面断面図である。
【図５】本発明の第１実施形態の冷蔵庫の部材を示す斜視図である。
【図６】本発明の第１実施形態の冷蔵庫の他の部材を示す斜視図である。
【図７】本発明の第１実施形態の冷蔵庫の部材の要部断面図である。
【図８】本発明の第１実施形態の冷蔵庫の部材の要部断面図である。
【図９】本発明の第２実施形態の冷蔵庫の側面断面図である。
【図１０】本発明の第２実施形態の冷蔵庫の冷蔵室の正面図である。
【図１１】本発明のフィルターを貯蔵室側から見た図である。
【図１２】本発明の図１１に示したフィルターを上方から見た図である。
【符号の説明】
１１  冷蔵室（貯蔵室）
２１、２５  冷却器
２３、２７、２８、３０  冷気通路
２８ａ  中央通路（循環通路）
２９  送風機
４１  送風機カバー（カバー）
４１ａ  開口部（吸込口）
４１ｂ  フィルター
４１ｃ  断熱部材（隔離壁）
４１ｄ  突出部（防水手段）
４１ｅ  突出部（防水手段）
４１ｆ  穴（排水手段）
４２  部材
７０ｂ  吐出部（吐出口）
【図１】
0003603943.tif 000002
【図２】
0003603943.tif 000003
【図３】
0003603943.tif 000004
【図４】
0003603943.tif 000005
【図５】
0003603943.tif 000006
【図６】
0003603943.tif 000007
【図７】
0003603943.tif 000008
【図８】
0003603943.tif 000009
【図９】
0003603943.tif 000010
【図１０】
0003603943.tif 000011
【図１１】
0003603943.tif 000012
【図１２】
0003603943.tif 000013